(57)【要約】【課題】当該コンテンツからリンクされるリンク先のコンテンツの評価情報を付与して、コンテンツ利用条件に応じて表示する。【解決手段】所定記述言語で記述された表示対象コンテンツを閲覧するために提示するコンテンツ提示手段を備え、該コンテンツ提示手段に関する閲覧条件であるコンテンツ利用条件を取得する（１ｃ）。次に、前記表示対象コンテンツに含まれるリンクによって参照されるリンク先コンテンツを取得し、前記コンテンツ利用条件に基づいて、前記取得したリンク先コンテンツのアクセシビリティを評価する（１ａ２）。その得られたリンク先コンテンツのアクセシビリティ評価結果を、前記コンテンツ利用条件に応じた適切な表示形式で、前記表示対象コンテンツに埋め込み編集する（１ａ３）。【選択図】図１
2008287383.tif 000002
【特許請求の範囲】
【請求項１】
所定記述言語で記述された表示対象コンテンツを閲覧するために提示するコンテンツ提示手段と、記憶手段と、を備え、
該コンテンツにおけるリンク先のコンテンツであるリンク先コンテンツに関する情報を表示するリンク先情報表示装置であって、
前記コンテンツ提示手段に関する閲覧条件であるコンテンツ利用条件を前記記憶手段から取得するコンテンツ利用条件取得手段と、
前記表示対象コンテンツに含まれるリンクによって参照されるリンク先コンテンツを取得するリンク先コンテンツ取得手段と、
前記コンテンツ利用条件に基づいて、前記取得したリンク先コンテンツのアクセシビリティを評価するコンテンツ評価手段と、
前記コンテンツ評価手段によって得られたリンク先コンテンツのアクセシビリティ評価結果を、前記コンテンツ利用条件に応じた適切な表示形式で、前記表示対象コンテンツに埋め込み編集するコンテンツ編集手段と、
を備えることを特徴とするリンク先情報表示装置。
【請求項２】
請求項１に記載のリンク先情報表示装置において、
前記コンテンツ利用条件取得手段が、
前記コンテンツ提示手段で前記リンク先コンテンツを表示する際の画面寸法であるコンテンツ表示画面寸法に関する条件を取得する手段、
を備え、
前記コンテンツ評価手段が、
前記コンテンツ表示画面寸法に関する条件に基づいて前記リンク先コンテンツのアクセシビリティを評価する手段、
を備える、
ことを特徴とするリンク先情報表示装置。
【請求項３】
請求項２に記載のリンク先情報表示装置において、
前記コンテンツ編集手段が、
前記表示対象コンテンツに対し、該表示対象コンテンツのレイアウトを変えずに、前記アクセシビリティの評価結果を示す色で、該表示対象コンテンツにおけるリンク先コンテンツに応じたリンク部分を、色付けする形式で埋め込み編集する手段、
を備える
ことを特徴とするリンク先情報表示装置。
【請求項４】
請求項１に記載のリンク先情報表示装置において、
前記コンテンツ提示手段が、
コンテンツにおけるテキストを音声で読み上げる音声読み上げ手段、
を備え、
前記コンテンツ利用条件取得手段が、
前記音声読み上げ手段で適切な音声読み上げを行う条件を取得する手段、
を備え、
前記コンテンツ評価手段が、
前記音声読み上げ手段で適切な音声読み上げを行う条件に基づいて前記リンク先コンテンツのアクセシビリティを評価する手段、
を備える
ことを特徴とするリンク先情報表示装置。
【請求項５】
請求項４に記載のリンク先情報表示装置において、
前記コンテンツ編集手段が、
前記表示対象コンテンツに対し、前記アクセシビリティの評価結果を示し、かつ、前記音声読み上げ手段で読み上げ可能な形式であるテキストを、埋め込み編集する手段、
を備える
ことを特徴とするリンク先情報表示装置。
【請求項６】
所定記述言語で記述された表示対象コンテンツを閲覧するために提示するコンテンツ提示手段と、記憶手段と、を備え、
該コンテンツにおけるリンク先のコンテンツであるリンク先コンテンツに関する情報を表示する装置に使用する、
リンク先情報表示方法であって、
前記コンテンツ提示手段に関する閲覧条件であるコンテンツ利用条件を前記記憶手段から取得するコンテンツ利用条件取得ステップと、
前記表示対象コンテンツに含まれるリンクによって参照されるリンク先コンテンツを取得するリンク先コンテンツ取得ステップと、
前記コンテンツ利用条件に基づいて、前記取得したリンク先コンテンツのアクセシビリティを評価するコンテンツ評価ステップと、
前記コンテンツ評価ステップによって得られたリンク先コンテンツのアクセシビリティ評価結果を、前記コンテンツ利用条件に応じた適切な表示形式で、前記表示対象コンテンツに埋め込み編集するコンテンツ編集ステップと、
を有することを特徴とするリンク先情報表示方法。
【請求項７】
請求項６に記載のリンク先情報表示方法において、
前記コンテンツ利用条件取得ステップが、
前記コンテンツ提示手段で前記リンク先コンテンツを表示する際の画面寸法であるコンテンツ表示画面寸法に関する条件を取得するステップ、
を有し、
前記コンテンツ評価ステップが、
前記コンテンツ表示画面寸法に関する条件に基づいて前記リンク先コンテンツのアクセシビリティを評価するステップ、
を有する、
ことを特徴とするリンク先情報表示方法。
【請求項８】
請求項７に記載のリンク先情報表示方法において、
前記コンテンツ編集ステップが、
前記表示対象コンテンツに対し、該表示対象コンテンツのレイアウトを変えずに、前記アクセシビリティの評価結果を示す色で、該表示対象コンテンツにおけるリンク先コンテンツに応じたリンク部分を、色付けする形式で埋め込み編集するステップ、
を有する
ことを特徴とするリンク先情報表示方法。
【請求項９】
所定記述言語で記述された表示対象コンテンツを閲覧するために提示するコンテンツ提示手段と、記憶手段と、を備え、
さらに、前記コンテンツ提示手段が、コンテンツにおけるテキストを音声で読み上げる音声読み上げ手段を備え、
該コンテンツにおけるリンク先のコンテンツであるリンク先コンテンツに関する情報を表示する装置に使用する、
リンク先情報表示方法であって、
前記コンテンツ提示手段に関する閲覧条件であるコンテンツ利用条件を前記記憶手段から取得するコンテンツ利用条件取得ステップと、
前記表示対象コンテンツに含まれるリンクによって参照されるリンク先コンテンツを取得するリンク先コンテンツ取得ステップと、
前記コンテンツ利用条件に基づいて、前記取得したリンク先コンテンツのアクセシビリティを評価するコンテンツ評価ステップと、
前記コンテンツ評価ステップによって得られたリンク先コンテンツのアクセシビリティ評価結果を、前記コンテンツ利用条件に応じた適切な表示形式で、前記表示対象コンテンツに埋め込み編集するコンテンツ編集ステップと、
を有し、
さらに、前記コンテンツ利用条件取得ステップが、
前記音声読み上げ手段で適切な音声読み上げを行う条件を取得するステップ、
を有し、
前記コンテンツ評価ステップが、
前記音声読み上げ手段で適切な音声読み上げを行う条件に基づいて前記リンク先コンテンツのアクセシビリティを評価するステップ、
を有する、
ことを特徴とするリンク先情報表示方法。
【請求項１０】
請求項９に記載のリンク先情報表示方法において、
前記コンテンツ編集ステップが、
前記表示対象コンテンツに対し、前記アクセシビリティの評価結果を示し、かつ、前記音声読み上げ手段で読み上げ可能な形式であるテキストを、埋め込み編集するステップ、
を備える
ことを特徴とするリンク先情報表示方法。
【請求項１１】
請求項６乃至１０のいずれかに記載のリンク先情報表示方法を、コンピュータで実行可能なコンピュータプログラムとして記述したことを特徴とするリンク先情報表示プログラム。
【請求項１２】
請求項６乃至１０のいずれかに記載のリンク先情報表示方法を、コンピュータで実行可能なコンピュータプログラムとして記述し、そのコンピュータプログラムを記録したことを特徴とする記録媒体。
【発明の詳細な説明】
【技術分野】
【０００１】
本発明は、ウェブコンテンツに対するアクセシビリティの評価結果を明示するウェブコンテンツ提示技術に関するものである。
【背景技術】
【０００２】
情報通信機器の発達によってインターネットが広く普及してきた。それに伴って、インターネットを用いた情報配信が重要な社会的基幹技術として成立してきた。そして、その情報配信におけるウェブコンテンツは、高齢者や視覚障害者など、様々な特徴を持った利用者（例えば、ウェブ閲覧者）や、携帯端末や音声（ウェブ）ブラウザなど様々な端末でも、利用できること（以下、アクセシビリティという）に配慮したものが望まれている。
【０００３】
上述のような状況下において、ウェブコンテンツのアクセシビリティのチェック項目を記述したウェブ  アクセシビリティ  ガイドライン（以下、アクセシビリティ  ガイドラインという）が重要視されている。例えば、世界的には、Ｗ３Ｃ（Ｗｏｒｌｄ  Ｗｉｄｅ  Ｗｅｂ  Ｃｏｎｓｏｒｔｉｕｍ）がＷＣＡＧ１．０（Ｗｅｂ  Ｃｏｎｔｅｎｔ  Ａｃｃｅｓｓｉｂｉｌｉｔｙ  Ｇｕｉｄｅｌｉｎｅｓ１．０）が制定されている。また、国内でも、ＪＩＳ（Ｊａｐａｎｅｓｅ  Ｉｎｄｕｓｔｒｉａｌ  Ｓｔａｎｄａｒｄ）  Ｘ  ８３４１−３「高齢者・障害者等配慮設計指針−情報通信における機器、ソフトウェア、及びサービス」（以下、単にＪＩＳという）が制定された。即ち、ウェブページの制作者は、ＷＣＡＧ１．０やＪＩＳのようなアクセシビリティ  ガイドラインに則ってウェブページを製作すれば、ウェブページのアクセシビリティを向上させることができる。
【０００４】
しかしながら、現状では、多くのウェブコンテンツは、アクセシビリティに配慮されていない。そのため、高齢者，視覚障害者，携帯端末を使う利用者の一部が、ウェブコンテンツを利用する際に、操作が出来ない、情報が取得できない、などの問題に直面している。
【０００５】
一般に、ウェブコンテンツを利用する際には、リンクという他のウェブコンテンツに移動する指令が含まれた箇所を選択（例えば、ポインティング装置であるマウスなどでクリック）し、様々なウェブコンテンツを移動しながら閲覧する。
【０００６】
例えば、ゴミの収集日をウェブコンテンツを利用して調べるには、以下のウェブコンテンツ閲覧手順を踏む。
【０００７】
（１）ホームページと呼ばれる目的のウェブコンテンツ群の入り口となるウェブコンテンツを表示し、当該ウェブコンテンツ内で、目的であるゴミの収集日を記載していそうなリンク（例えば、「生活」）を選択する。
【０００８】
（２）「生活」に関するウェブコンテンツが表示されるので、そのウェブコンテンツ中で、ごみ収集日を記載しているかを調べる。記載していない場合には、ごみ収集日を記載していそうなリンク（例えば、ゴミ）を選択する。
【０００９】
（３）「ゴミ」に関するウェブコンテンツが表示されるので、その中で、ごみ収集日を探索する。
【００１０】
以上のように、リンクを選択する作業を繰り返し行い、ウェブコンテンツを移動しながら閲覧する。
【００１１】
アクセシビリティに配慮したウェブコンテンツを必要とする利用者も、上述のようなウェブ閲覧手順を行う。しかし、リンク参照先のウェブコンテンツがアクセシビリティに配慮されているとは限らないため、アクセシビリティに配慮されていないコンテンツが表示されることもある。
【００１２】
アクセシビリティに配慮されていないウェブコンテンツが誤って表示された場合には、当該利用者には当該ウェブコンテンツを利用できない場合が多く、戻る操作などによって一つ前のウェブコンテンツに戻る必要がある。さらに、アクセシビリティに配慮されていないウェブコンテンツの中には、戻る操作を無効にするように設定されている場合もあるため、当該利用者は何も操作が出来なくなることも少なくない。
【００１３】
例えば、ウェブブラウザの戻る操作が無効にされており、ウェブコンテンツ中で戻る操作を割り当てられたボタン（矢印の画像ボタン）に音声読み上げ用の代替テキストが付与されていない場合、音声ブラウザ（コンテンツにおけるテキストを音声で読み上げる音声読み上げ手段を有するブラウザ）では画像内容を読み上げることができないため、視覚障害者は、該ボタンが戻る機能を有していることが分からない。結果、視覚障害者は前のページに戻ることが出来なくなる。
【００１４】
上記のような問題を解決する試みとして、リンクに所定の操作（例えば、マウスポインタをリンク上に重ねる）によって、リンク参照先のコンテンツを小さい窓で表示させる技術（例えば、非特許文献１参照）が知られている。しかし、アクセシビリティに配慮されているか否かは、小さい窓に表示されたウェブコンテンツの見た目では判断できない場合が多いため、参照先コンテンツのアクセシビリティを知るには有効ではない。
【非特許文献１】南野朋之，齋藤豪，奥村学、「Ｗｅｂブラウジング支援システム  Ｚｅｒｏ−Ｃｌｉｃｋ」、社団法人  情報処理学会、情報処理学会  第６３回全国大会、２００１（平成１３）年９月２６日、ｐｐ４−２３〜４−２４。
【発明の開示】
【発明が解決しようとする課題】
【００１５】
上述したように、多くのウェブコンテンツは、アクセシビリティを配慮したウェブコンテンツに対応したリンクであるか否かが、該ウェブコンテンツ中に提示されていないため、アクセシビリティを配慮していないウェブコンテンツが表示された場合には、利便性や操作性に問題を抱えていた。
【００１６】
本発明は、前記課題に基づいてなされたものであって、ウェブコンテンツ等の所定記述言語で記述されたコンテンツに、当該コンテンツからリンクされるリンク先のコンテンツの評価情報を付与して、コンテンツ利用形態（コンテンツ利用条件）に応じて表示するリンク先情報表示装置，リンク先情報表示方法，その方法を実装したリンク先情報表示プログラム及びそのプログラムを格納した記録媒体を提供することにある。
【課題を解決するための手段】
【００１７】
前記課題の解決を図るために、請求項１記載の発明は、所定記述言語で記述された表示対象コンテンツを閲覧するために提示するコンテンツ提示手段と、記憶手段と、を備え、該コンテンツにおけるリンク先のコンテンツであるリンク先コンテンツに関する情報を表示するリンク先情報表示装置であって、前記コンテンツ提示手段に関する閲覧条件であるコンテンツ利用条件を取得する前記記憶手段からコンテンツ利用条件取得手段と、前記表示対象コンテンツに含まれるリンクによって参照されるリンク先コンテンツを取得するリンク先コンテンツ取得手段と、前記コンテンツ利用条件に基づいて、前記取得したリンク先コンテンツのアクセシビリティを評価するコンテンツ評価手段と、前記コンテンツ評価手段によって得られたリンク先コンテンツのアクセシビリティ評価結果を、前記コンテンツ利用条件に応じた適切な表示形式で、前記表示対象コンテンツに埋め込み編集するコンテンツ編集手段と、を備えることを特徴とする。
【００１８】
請求項２記載の発明は、請求項１記載の発明において、前記コンテンツ利用条件取得手段が、前記コンテンツ提示手段で前記リンク先コンテンツを表示する際の画面寸法であるコンテンツ表示画面寸法に関する条件を取得する手段、を備え、前記コンテンツ評価手段が、前記コンテンツ表示画面寸法に関する条件に基づいて前記リンク先コンテンツのアクセシビリティを評価する手段、を備える、ことを特徴とする。
【００１９】
請求項３記載の発明は、請求項２記載の発明において、前記コンテンツ編集手段が、前記表示対象コンテンツに対し、該表示対象コンテンツのレイアウトを変えずに、前記アクセシビリティの評価結果を示す色で、該表示対象コンテンツにおけるリンク先コンテンツに応じたリンク部分を、色付けする形式で埋め込み編集する手段、を備えることを特徴とする。
【００２０】
請求項４記載の発明は、請求項１記載の発明において、前記コンテンツ提示手段が、コンテンツにおけるテキストを音声で読み上げる音声読み上げ手段、を備え、前記コンテンツ利用条件取得手段が、前記音声読み上げ手段で適切な音声読み上げを行う条件を取得する手段、を備え、前記コンテンツ評価手段が、前記音声読み上げ手段で適切な音声読み上げを行う条件に基づいて前記リンク先コンテンツのアクセシビリティを評価する手段、を備えることを特徴とする。
【００２１】
請求項５記載の発明は、請求項４記載の発明において、前記コンテンツ編集手段が、前記表示対象コンテンツに対し、前記アクセシビリティの評価結果を示し、かつ、前記音声読み上げ手段で読み上げ可能な形式であるテキストを、埋め込み編集する手段、を備えることを特徴とする。
【００２２】
請求項６記載の発明は、所定記述言語で記述された表示対象コンテンツを閲覧するために提示するコンテンツ提示手段と、記憶手段と、を備え、該コンテンツにおけるリンク先のコンテンツであるリンク先コンテンツに関する情報を表示する装置に使用する、リンク先情報表示方法であって、前記コンテンツ提示手段に関する閲覧条件であるコンテンツ利用条件を前記記憶手段から取得するコンテンツ利用条件取得ステップと、前記表示対象コンテンツに含まれるリンクによって参照されるリンク先コンテンツを取得するリンク先コンテンツ取得ステップと、前記コンテンツ利用条件に基づいて、前記取得したリンク先コンテンツのアクセシビリティを評価するコンテンツ評価ステップと、前記コンテンツ評価ステップによって得られたリンク先コンテンツのアクセシビリティ評価結果を、前記コンテンツ利用条件に応じた適切な表示形式で、前記表示対象コンテンツに埋め込み編集するコンテンツ編集ステップと、を有することを特徴とする。
【００２３】
請求項７記載の発明は、請求項６記載の発明において、前記コンテンツ利用条件取得ステップが、前記コンテンツ提示手段で前記リンク先コンテンツを表示する際の画面寸法であるコンテンツ表示画面寸法に関する条件を取得するステップ、を有し、前記コンテンツ評価ステップが、前記コンテンツ表示画面寸法に関する条件に基づいて前記リンク先コンテンツのアクセシビリティを評価するステップ、を有する、ことを特徴とする。
【００２４】
請求項８記載の発明は、請求項７記載の発明において、前記コンテンツ編集ステップが、前記表示対象コンテンツに対し、該表示対象コンテンツのレイアウトを変えずに、前記アクセシビリティの評価結果を示す色で、該表示対象コンテンツにおけるリンク先コンテンツに応じたリンク部分を、色付けする形式で埋め込み編集するステップ、を有することを特徴とする。
【００２５】
請求項９記載の発明は、所定記述言語で記述された表示対象コンテンツを閲覧するために提示するコンテンツ提示手段と、記憶手段と、を備え、さらに、前記コンテンツ提示手段が、コンテンツにおけるテキストを音声で読み上げる音声読み上げ手段を備え、該コンテンツにおけるリンク先のコンテンツであるリンク先コンテンツに関する情報を表示する装置に使用する、リンク先情報表示方法であって、前記コンテンツ提示手段に関する閲覧条件であるコンテンツ利用条件を前記記憶手段から取得するコンテンツ利用条件取得ステップと、前記表示対象コンテンツに含まれるリンクによって参照されるリンク先コンテンツを取得するリンク先コンテンツ取得ステップと、前記コンテンツ利用条件に基づいて、前記取得したリンク先コンテンツのアクセシビリティを評価するコンテンツ評価ステップと、前記コンテンツ評価ステップによって得られたリンク先コンテンツのアクセシビリティ評価結果を、前記コンテンツ利用条件に応じた適切な表示形式で、前記表示対象コンテンツに埋め込み編集するコンテンツ編集ステップと、を有し、さらに、前記コンテンツ利用条件取得ステップが、前記音声読み上げ手段で適切な音声読み上げを行う条件を取得するステップ、を有し、前記コンテンツ評価ステップが、前記音声読み上げ手段で適切な音声読み上げを行う条件に基づいて前記リンク先コンテンツのアクセシビリティを評価するステップ、を有する、ことを特徴とする。
【００２６】
請求項１０記載の発明は、請求項９記載の発明において、前記コンテンツ編集ステップが、前記表示対象コンテンツに対し、前記アクセシビリティの評価結果を示し、かつ、前記音声読み上げ手段で読み上げ可能な形式であるテキストを、埋め込み編集するステップ、を備えることを特徴とする。
【００２７】
請求項１１記載の発明は、リンク先情報表示プログラムであって、請求項６乃至１０のいずれかに記載のリンク先情報表示方法を、コンピュータで実行可能なコンピュータプログラムとして記述したことを特徴とする。
【００２８】
請求項１２記載の発明は、記録媒体であって、請求項６乃至１０のいずれかに記載のリンク先情報表示方法を、コンピュータで実行可能なコンピュータプログラムとして記述し、そのコンピュータプログラムを記録したことを特徴とする。
【００２９】
前記請求項１または６に記載の発明は、所定記述言語で記述されたコンテンツに、当該コンテンツからリンクされるリンク先コンテンツに対するアクセシビリティの評価結果を付与し表示できる。
【００３０】
前記請求項２または７に記載の発明は、リンク先コンテンツのコンテンツ表示画面寸法に関する条件に基づいたアクセシビリティの評価結果を取得できる。
【００３１】
前記請求項３または８に記載の発明は、リンク先コンテンツのアクセシビリティの評価結果を、リンク部分の色で表示できる。
【００３２】
前記請求項４または９に記載の発明は、リンク先コンテンツに対する適切な音声読み上げを行う条件に基づいたアクセシビリティの評価結果を取得できる。
【００３３】
前記請求項５または１０に記載の発明は、リンク先コンテンツのアクセシビリティの評価結果を、適切に音声読み上げできる。
【００３４】
前記請求項１１に記載の発明は、請求項６乃至１０のいずれかに記載のリンク先情報表示方法をコンピュータプログラムとして記載できる。
【００３５】
前記請求項１２に記載の発明は、請求項６乃至１０のいずれかに記載のリンク先情報表示方法を実装したコンピュータプログラムを記録媒体に記録できる。
【発明の効果】
【００３６】
以上示したように請求項１または６の発明によれば、コンテンツ中のリンクに対し表示指示（クリック）せずとも、リンク先コンテンツに対するアクセシビリティの評価結果を取得できるため、その評価結果に基づいてリンク先コンテンツを表示させるか否かを判断できる。即ち、所定の評価を満たさないコンテンツを誤って表示することを防止できる。
【００３７】
請求項２または７の発明によれば、リンク先コンテンツのコンテンツ表示画面寸法に関する条件に基づいたアクセシビリティの評価結果に基づいてリンク先コンテンツを表示させるか否かを判断できる。
【００３８】
請求項３または８の発明によれば、リンク先コンテンツのアクセシビリティの評価結果を、リンク部分の色で判断できる。また、表示対象コンテンツのレイアウトを変えずに、アクセシビリティの評価結果を表示できる。
【００３９】
請求項４または９の発明によれば、リンク先コンテンツに対する適切な音声読み上げを行う条件に基づいたアクセシビリティの評価結果に基づいてリンク先コンテンツを表示させるか否かを判断できる。
【００４０】
請求項５または１０の発明によれば、リンク先コンテンツのアクセシビリティの評価結果を、読み上げられた音声で判断できる。
【００４１】
請求項１１の発明によれば、リンク先情報表示方法を実装したコンピュータプログラムを提供できる。
【００４２】
請求項１２の発明によれば、リンク先情報表示方法を実装したコンピュータプログラムを記録した記録媒体を提供できる。
【００４３】
これらを以ってコンテンツ処理技術分野に貢献できる。
【発明を実施するための最良の形態】
【００４４】
以下、本発明の実施形態を図面等に基づいて詳細に説明する。
【００４５】
［第１実施形態］
第１実施形態におけるリンク先情報表示装置は、機能ブロックから構成される。また、実際には、リンク先情報表示装置は、一つのコンピュータまたは複数のコンピュータで実現される。即ち、各機能ブロックはコンピュータのハードウェアリソース、ソフトウェアリソースによって実現される。
【００４６】
第１実施形態では、コンテンツ利用条件として、コンテンツ表示画面寸法（例えば、ウェブブラウザのウィンドウサイズ）を取得する。なお、コンテンツ利用条件とは、ユーザに対してどのような条件でコンテンツ（ウェブコンテンツも含むコンテンツ）を提示するのか、であって、例えば、音声ブラウザ（予め備えられたスピーカーなどを含む音声発生装置を介して、コンテンツにおけるテキストを音声で読み上げる音声読み上げ手段を有するブラウザ）を用いる、コンテンツに対して十分な表示面積を持たないＰＤＡ（Ｐｅｒｓｏｎａｌ  Ｄｉｇｉｔａｌ  Ａｓｓｉｓｔａｎｃｅ）や携帯電話のディスプレイで使用する、などである。言い換えれば、利用条件とは、どのようなアクセシビリティが必要とされているか、である。
【００４７】
また、第１実施形態では、表示対象コンテンツから参照されるリンク先コンテンツをコンテンツ表示画面寸法について評価し、当該評価を当該表示対象コンテンツの表示画面寸法を変化させない表示（例えば、リンク部分の色表示）方法によって該リンクを表示する。
【００４８】
第１実施形態におけるリンク先情報表示装置の構成を図１に基づいて説明する。図１中のリンク先情報表示装置１は、ＣＰＵ（Ｃｅｎｔｒａｌ  Ｐｒｏｃｅｓｓｉｎｇ  Ｕｎｉｔ）やＯＳ（Ｏｐｅｒａｔｉｎｇ  Ｓｙｓｔｅｍ）などを有し、計算，各手段及び装置の制御を行う計算手段１ａ，ネットワーク通信機器を含み、コンテンツサーバ２からネットワーク１００を介してコンテンツを取得するコンテンツ取得手段１ｂ，利用条件取得手段１ｃ，メモリなどを有し、表示対象ウェブコンテンツに関する情報（例えば、ウェブコンテンツ自体）を記憶する一時記憶手段１ｄ，コンテンツを提示するコンテンツ提示手段（例えば、ウェブブラウザやディスプレイ装置などを含むユーザーインターフェース装置）１ｅを有する装置であって、例えば、コンピュータ装置である。さらに、前記計算手段１ａは、表示対象ウェブコンテンツに含まれる外部ウェブコンテンツへのリンクを抽出（取得）するリンク抽出手段１ａ１，コンテンツ利用条件に関する評価を行うコンテンツ評価手段１ａ２，前記評価の結果に基づいてコンテンツを編集するコンテンツ編集手段１ａ３を備える。また、前記リンク先情報表示装置１は、ネットワーク１００を介して、コンテンツサーバ２と接続されている。前記一時記憶手段１ｄは、コンピュータに予め備えられた記憶手段（例えば、メモリやハードディスク装置など）の一部の記憶領域を使用しても良い。
【００４９】
次に、第１実施形態におけるリンク先情報表示処理手順を図２に基づいて説明する。
【００５０】
まず、コンテンツ利用条件であるコンテンツ表示画面寸法を取得しメモリに保存する（Ｓ１０１：利用条件取得手段１ｃ）。例えば、前記コンテンツ表示画面寸法は、コンテンツ提示手段におけるウェブブラウザのウィンドウサイズである。また、コンテンツ表示画面寸法は、例えば、ＯＳなどが管理する記憶領域（予め備えられた記憶手段における記憶領域）から前記ウェブブラウザのウィンドウサイズを取得する。
【００５１】
次に、表示しようとするコンテンツ（以下、表示対象コンテンツという）をコンテンツサーバ２から取得する（Ｓ１０２：コンテンツ取得手段１ｂ）。ここで、表示対象コンテンツは、ＨＴＭＬ（ＨｙｐｅｒＴｅｘｔ  Ｍａｒｋｕｐ  Ｌａｎｇｕａｇｅ）文書及び当該ＨＴＭＬ文書に関連する各種文書（例えば、スタイルシートファイル，画像ファイル，スクリプトファイル）から構成される。
【００５２】
次に、当該表示対象ウェブコンテンツに含まれる外部ウェブコンテンツへのリンクを取得し、リンクデータベースとして保存する（Ｓ１０３：リンク抽出手段１ａ１）。リンクデータベースの一例を図３に基づいて説明する。例えば、前記リンクデータベースは、一時記憶手段１ｄに記録され保存されても良いし、予め備えられた記憶手段（例えば、ハードディスク装置など）に記録され保存されても良い。図３中のリンクデータベースは、リンクを管理するために付与されるＩＤ（Ｉｄｅｎｔｉｆｉｅｒ）（即ち、リンク管理ＩＤ  Ｃ１１），リンクが参照するコンテンツのＵＲＩ（Ｕｎｉｆｏｒｍ  Ｒｅｓｏｕｒｃｅ  Ｉｄｅｎｔｉｆｉｅｒ）（即ち、リンク先ＵＲＩ  Ｃ１２），表示対象コンテンツ内でのリンク位置（即ち、リンク位置Ｃ１３），リンクにて参照されるリンク先コンテンツの評価結果（評価スコアＣ１４）を含むデータセット（以下、リンクデータセット）を単数または複数有するものである。
【００５３】
第１実施形態では、当該リンク位置はＸＰｏｉｎｔｅｒの書式で記述されているものとする。前記ＸＰｏｉｎｔｅｒとは、コンテンツ内の所定の位置を指定するための標準書式である。例えば、図３におけるリンクデータベースの第１リンクデータセットのリンク位置Ｃ１３の値「＃ｅｌｅｍｅｎｔ（／ｈｔｍｌ／ｂｏｄｙ／ｐ[２]／ａ[１]）」は、ＨＴＭＬ文書のｈｔｍｌ要素の子要素であるｂｏｄｙ要素の子要素の中で２つ目のｐ要素の子要素の中で１つ目のａ要素を示している。なお、第１実施形態では、ＸＰｏｉｎｔｅｒを用いたが、コンテンツ内の位置を特定できる機能を有する書式で代替可能であることはいうまでもない。
【００５４】
次に、当該リンクデータベースのリンク先ＵＲＩで示されるウェブコンテンツを取得（リンク先コンテンツ取得）し、コンテンツデータベースに保存する（Ｓ１０４）。
【００５５】
次に、当該コンテンツデータベースに保存された各ウェブコンテンツ（より具体的には、ウェブコンテンツに含まれるタグ情報）を対象に当該コンテンツ利用条件に関する評価を行い、評価スコアを取得し、当該リンクデータベースに付与する（Ｓ１０５：コンテンツ評価手段１ａ２）。なお、第１実施形態では、当該コンテンツ利用条件であるコンテンツ表示画面寸法に関する評価を行う。
【００５６】
例えば、次に示す評価項目から構成する。
（評価項目Ａ１）「固定レイアウトではなく、可変レイアウトであるか？」
（評価項目Ａ２）「コンテンツ表示画面寸法よりも大きい画像が含まれていないか？」
（評価項目Ａ３）「コンテンツの長さがコンテンツ表示画面寸法の３倍以上でないか？」
なお、評価スコアの算出方法としては、利用条件に合致した評価項目（診断対象項目）のうち、評価した結果、コンテンツ利用条件を満たされていた評価項目数と全評価項目数の比率からスコアを計算する、あるいはさらに、評価項目ごとの重みや、コンテンツ利用条件を満たしている程度も考慮してスコアを計算する。
【００５７】
上記に挙げた以外でも、コンテンツ表示画面寸法に関する評価項目から構成してもよいことは言うまでもない。図４は、評価スコアを付与した後のリンクデータベースの一例であって、図４中の評価スコアＣ１４には、値「２０」，値「１５」が付与されている。
【００５８】
次に、当該リンクデータベースに保存された評価スコアを当該コンテンツ利用条件に適した方法で表現するように、表示対象コンテンツを編集する（Ｓ１０６：コンテンツ編集手段１ａ３）。第１実施形態では、当該評価スコアを表現する手法として、図５中の画面Ｗ１の緑色表示のリンク先情報Ｇ，赤色表示のリンク先情報Ｒ，黄色表示のリンク先情報Ｙのように当該参照リンクの色を変化させる。評価スコアを３段階に分類し、赤，緑，黄の３色をそれぞれ割り当てることで、コンテンツ表示画面寸法に変化は生じさせずに、色によってリンク先情報を提示できる。
【００５９】
そして、編集された当該表示対象コンテンツを表示する（Ｓ１０７：コンテンツ提示手段１ｅ）。
【００６０】
以上のように、一般的なウェブコンテンツ提示方法では、例えば、ディスプレイなど表示装置の画面サイズに制約がある条件下では、リンク先コンテンツを表示もしくは操作するのに必要とされる画面サイズが、使用していうる画面のサイズよりも大きい場合には、適切な表示が行えない、表示されても操作を行うことが出来ない、といった不都合が生じる。
【００６１】
さらに、リンク先コンテンツの評価結果を挿入することにより、リンク元のコンテンツを表示するのに必要とする画面サイズが大きくなるなど、表示するコンテンツのレイアウトが変わってしまう提示方法を行うと、リンク元のコンテンツのアクセシビリティが変化してしまい、適切ではない。
【００６２】
そこで、第１実施形態では、色によりリンク先情報を提示することで、コンテンツ表示寸法に変化を生じさせずに、リンク先情報を提示する。
【００６３】
［第２実施形態］
第２実施形態は、サーバ装置とクライアント装置とを用いてリンク先情報表示装置を構築するものである。なお、サーバ装置とクライアント装置をコンピュータで実現しても良い。また、同一のコンピュータにサーバアプリケーションとクライアントアプリケーションとを実行させてもよいことはいうまでもない。
【００６４】
第２実施形態では、コンテンツ利用条件として、音声ブラウザ利用の有無を取得し、表示対象コンテンツから参照されるリンク先コンテンツを音声ブラウザ利用の有無について評価し、当該評価を音声ブラウザでも伝えることができる表現（即ち、音声で読上げ可能なテキストをリンク部分に付与して表現する）方法を採用する。
【００６５】
第２実施形態におけるリンク先情報表示装置を図６に基づいて説明する。図６中のリンク先情報表示装置５は、クライアント装置４およびサーバ装置３から構成されている。第２実施形態において、サーバ装置３は、いわゆるプロキシサーバであって、クライアント装置４からＨＴＴＰ（ＨｙｐｅｒＴｅｘｔ  Ｔｒａｎｓｆｅｒ  Ｐｒｏｔｏｃｏｌ）要求を受け取り、クライアント装置４に代わって、ネットワーク１００を介して、コンテンツサーバ６から表示対象コンテンツを取得し、必要に応じて当該表示対象コンテンツに編集を加え、クライアント装置４に転送する。
【００６６】
図６中のサーバ装置３は、ネットワーク通信機器を含み、コンテンツサーバ６からネットワーク１００を介してコンテンツを取得するコンテンツ取得手段３ｂ，ＣＰＵやＯＳなどを有し、計算，各手段及び装置の制御を行う計算手段３ａ，ネットワーク通信機器を含み、ネットワーク１０１を介してクライアント装置４と通信を行うクライアント通信手段３ｃ，メモリなどを有し、表示対象ウェブコンテンツに関する情報を記憶する一時記憶手段３ｄを備える。さらに、前記計算手段３ａは、表示対象ウェブコンテンツに含まれる外部ウェブコンテンツへのリンクを抽出（取得）するリンク抽出手段３ａ１，コンテンツ利用条件に関する評価を行うコンテンツ評価手段３ａ２，前記評価の結果に基づいてコンテンツを編集するコンテンツ編集手段３ａ３を備える。サーバ装置３は、記憶手段（例えば、メモリやハードディスク装置など）を予め備えていても良い。
【００６７】
図６中のクライアント装置４は、ＣＰＵやＯＳなどを有し、計算，各手段及び装置の制御を行う計算手段４ａ，利用条件取得手段４ｂ，ネットワーク通信機器を含み、ネットワーク１０１を介してサーバ装置３と通信を行うサーバ通信手段４ｃ，コンテンツを提示するコンテンツ提示手段（例えば、音声ブラウザやディスプレイ装置などを含むユーザーインターフェース装置）４ｄ，メモリなどを有する一時記憶手段４ｅを備える。なお、前記一時記憶手段４ｅは、コンピュータに予め備えられた記憶手段（例えば、メモリやハードディスク装置など）の一部の記憶領域を使用しても良い。
【００６８】
第２実施形態におけるリンク先情報表示処理手順を図７に基づいて説明する。
【００６９】
まず、クライアント装置４からサーバ装置３にＨＴＴＰ要求を送信する（Ｓ２０１）。
【００７０】
次に、サーバ装置３は、当該ＨＴＴＰ要求を取得する（Ｓ２０２）。
【００７１】
次に、クライアント装置４に、クライアントのコンテンツ利用条件を要求し（Ｓ２０３）、クライアント装置４は、コンテンツ利用条件を取得し（Ｓ２０４）、サーバ装置３は当該コンテンツ利用条件の取得に応じた応答を受ける（Ｓ２０５）（利用条件取得手段４ｂ）。なお、第２実施形態では、コンテンツ利用条件は、音声ブラウザによるコンテンツ利用の有無である。コンテンツ利用条件は、サーバ装置３の記憶手段における所定記憶領域に予め記憶されているものとする。
【００７２】
次に、サーバ装置３は当該ＨＴＴＰ要求により指定された表示対象コンテンツを、ネットワーク１００を介してコンテンツサーバ６から取得する（Ｓ２０６：コンテンツ取得手段３ｂ）。
【００７３】
ステップＳ２０７，Ｓ２０８，Ｓ２０９において、第１実施形態と同様に、コンテンツ内のリンクを取得し（リンク抽出手段３ａ１）、該リンクは、リンクデータベース（例えば、図３におけるリンクデータベース）として、一時記憶手段３ｄもしくは予め備えられた記憶手段（例えば、ハードディスク装置など）に記録され保存され、当該リンクデータベースに含まれるリンク先ＵＲＩで示されるコンテンツを取得し、所定の評価を行い（コンテンツ評価手段３ａ２）、評価スコアを当該リンクデータベースに付与する。なお、第２実施形態では、音声ブラウザに関する評価を行う。例えば、前記評価は、次に示す評価項目から構成される。
（評価項目Ｂ１）「画像には代替テキストが設定されているか？」
（評価項目Ｂ２）「ページタイトルは付けられているか？」
（評価項目Ｂ３）「読み飛ばしリンクは準備されているか？」
（評価項目Ｂ４）「年月日表記をスラッシュによって表現していないか？」
上記以外にも、音声ブラウザの利用に関する診断項目から構成してもよいことは言うまでもない。
【００７４】
次に、当該リンクデータベースに保存された評価スコアを当該コンテンツ利用条件に適した方法で表現するように、表示対象コンテンツを編集する（Ｓ２１０：コンテンツ編集手段３ａ３）。例えば、第２実施形態では、リンク先コンテンツの評価を示す表現方法として、図８に示すように、画面Ｗ２のリンク部分に評価スコアＥｖ１〜Ｅｖ９を挿入するとする。具体的には、例えば、ＨＴＭＬ文書において、リンク部分が、
「＜ａ  ｈｒｅｆ＝”ｗｗｗ．ｈｏｇｅｈｏｇｅ．ｃｏｍ／ｚｅｉｋｉｎ．ｈｔｍｌ”＞税金＜／ａ＞」
と記述されており、リンク先コンテンツの評価が「２０」の場合、
「＜ａ  ｈｒｅｆ＝”ｗｗｗ．ｈｏｇｅｈｏｇｅ．ｃｏｍ／ｚｅｉｋｉｎ．ｈｔｍｌ”＞税金[評価：２０]＜／ａ＞」
のように、評価スコアを示す部分「[評価：２０]」を（図８中の符号Ｅｖ２のように見えるように）挿入する。この挿入された評価スコアによって、音声ブラウザでも読上げ可能であり、リンク先コンテンツの評価が容易に分かる。なお、記述形式は上記に限らないことはいうまでもない。また、第２実施形態では、リンク部分に評価スコアを表示する方法を採用したが、リンク先コンテンツの評価が分かるものであれば、例えば、評価スコアを所定の範囲に分類し、それぞれの範囲に応じたテキストや画像を表示する（例えば、「Ａ」，「Ｂ」，「Ｃ」，「Ｄ」，「Ｅ」の５段階評価）、などでも構わないことはいうまでもない。
【００７５】
次に、サーバ装置３は、編集した表示対象コンテンツをクライアント装置３に送信する（Ｓ２１１）。
【００７６】
そして、クライアント装置４は、当該表示対象コンテンツを表示する（Ｓ２１２：コンテンツ提示手段４ｄ）。
【００７７】
なお、第１及び第２実施形態のリンク先情報表示装置における各手段の一部もしくは全部の機能をコンピュータのプログラムで構成し、そのプログラムをコンピュータを用いて実行して本発明を実現することができること、第１及び第２実施形態のリンク先情報表示装置に関する方法（手順）をコンピュータのプログラムで構成し、そのプログラムをコンピュータに実行させることができることは言うまでもなく、コンピュータでその機能を実現するためのプログラムを、そのコンピュータが読み取り可能な記録媒体（記憶媒体）、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、リムーバブルディスクなどに記録して、保存したり、配布したりすることが可能である。また、上記のプログラムをインターネットや電子メールなど、ネットワークを通して提供することも可能である。
【００７８】
さらに、上述の第１及び第２実施形態のリンク先情報表示装置に関する方法を記述したコンピュータプログラムを、その方法に必要とされる入出力データを格納したメモリや外部記憶部等にアクセスするように実装してもよい。
【００７９】
以上、本発明の実施形態について説明したが、本発明は説明した実施形態に限定されるものでなく、各請求項に記載した範囲において各種の変形を行うことが可能である。
【００８０】
例えば、第１及び第２実施形態では、ＨＴＭＬ言語を例として説明したが、ＸＭＬ（ｅＸｔｅｎｓｉｂｌｅ  Ｍａｒｋｕｐ  Ｌａｎｇｕａｇｅ）やＸＨＴＭＬ（Ｅｘｔｅｎｓｉｂｌｅ  ＨｙｐｅｒＴｅｘｔ  Ｍａｒｋｕｐ  Ｌａｎｇｕａｇｅ）等のほかの所定記述言語（もしくは、リンク構造を記述可能な構造化言語）を用いてもよい。
【００８１】
また、第２実施形態の変形例としては、次のような方式でも良い。ＸＭＬ形式で記述されるＲＳＳ（ＲＤＦ  Ｓｉｔｅ  Ｓｕｍｍａｒｙ）ファイルに、予めコンテンツ利用条件（例えば、音声読み上げの有無）や評価結果（例えば、ページタイトルの有無）などを埋め込んでおき、コンテンツ提示手段であるＲＳＳリーダーがＲＳＳファイルを読み込んだ際に、コンテンツ利用条件や評価結果などに応じて、ＲＳＳリーダーのブラウザ部分の表示を変更する。
【図面の簡単な説明】
【００８２】
【図１】第１実施形態におけるリンク先情報表示装置の構成図。
【図２】第１実施形態におけるリンク先情報表示処理手順を示す図。
【図３】リンクデータベースの一例を示す図。
【図４】評価スコアが付与されたリンクデータベースの一例を示す図。
【図５】第１実施形態における評価スコアの表現例を示す図。
【図６】第２実施形態におけるリンク先情報表示装置の構成図。
【図７】第２実施形態におけるリンク先情報表示処理手順を示す図。
【図８】第２実施形態における評価スコアの表現例を示す図。
【符号の説明】
【００８３】
１，５…リンク先情報表示装置
１ａ…計算手段
１ａ１，３ａ１…リンク抽出手段
１ａ２，３ａ２…コンテンツ評価手段
１ａ３，３ａ３…コンテンツ編集手段
１ｂ…コンテンツ取得手段
１ｃ…利用条件取得手段
１ｄ…一時記憶手段
１ｅ…コンテンツ提示手段
２，６…コンテンツサーバ
３…サーバ装置
３ａ…計算手段
３ｂ…コンテンツ取得手段
３ｃ…クライアント通信手段
３ｄ…一時記憶手段
４…クライアント装置
４ａ…計算手段
４ｂ…利用条件取得手段
４ｃ…サーバ通信手段
４ｄ…コンテンツ提示手段
４ｅ…一時記憶手段
１００，１０１…ネットワーク
Ｃ１１…リンク管理ＩＤ
Ｃ１２…リンク先ＵＲＩ
Ｃ１３…リンク位置
Ｃ１４…評価スコア
Ｅｖ１〜Ｅｖ９…評価スコア
Ｇ…緑色表示のリンク先情報
Ｒ…赤色表示のリンク先情報
Ｙ…黄色表示のリンク先情報
Ｗ１，Ｗ２…画面表示
【図１】
2008287383.tif 000003
【図２】
2008287383.tif 000004
【図３】
2008287383.tif 000005
【図４】
2008287383.tif 000006
【図５】
2008287383.tif 000007
【図６】
2008287383.tif 000008
【図７】
2008287383.tif 000009
【図８】
2008287383.tif 000010